(57)【特許請求の範囲】
【請求項１】
居室を画成する画成壁内に設けられ、前記居室を暖房するための電熱部と、
前記電熱部への通電状態を制御して、前記電熱部の温度を調節するためのコントローラとを備えた電気式暖房装置であって、
前記コントローラは、前記電熱部に設けられた温度センサにて検知される温度に基づいて前記電熱部の温度を調節しており、
電源と前記コントローラとを接続する一次側電源線の前記コントローラ側の端部及び前記コントローラと前記電熱部とを接続する二次側電源線の前記コントローラ側の端部が、ネジ止めにより固定される電源用プラグと、前記コントローラと前記温度センサとを接続するセンサ線の前記コントローラ側の端部がネジ止めにより固定されるセンサ用プラグと、が設けられ、
前記コントローラは、前記電源用プラグが着脱自在に接続される電源用ソケットと、前記センサ用プラグが着脱自在に接続されるセンサ用ソケットと、前記電熱部の作動状態を表示する表示面と、を有し、
前記一次側電源線及び前記二次側電源線が固定された前記電源用プラグを前記電源用ソケットに接続することにより、前記一次側電源線及び前記二次側電源線と前記コントローラとが結線され、
前記センサ線が固定された前記センサ用プラグを前記センサ用ソケットに接続することにより、前記センサ線と前記コントローラとが結線され、
前記電源用プラグ及び前記センサ用プラグは、各々前記電源用ソケット及び前記センサ用ソケットに対して前記表示面と略平行の方向から接続されることを特徴とする電気式暖房装置。
【請求項２】
前記電源用プラグには、一端部が接地されているアース線の他端部及び前記電熱部からのアース線の端部がネジ止めにより固定されていることを特徴とする請求項１に記載の電気式暖房装置。
【請求項３】
前記コントローラは、複数の電熱部の温度を個々に調整し得るように構成され、且つ、前記各電熱部毎に対応して前記電源用ソケットが複数設けられており、
前記温度センサは複数の電熱部毎に対応して複数設けられると共に、前記複数の温度センサ毎の前記センサ用プラグが一体に形成され、
各電熱部毎に対応して設けられる前記電源用プラグが前記各電源用ソケットに着脱自在に接続されると共に、前記一体に形成された前記センサ用プラグが前記センサ用ソケットに着脱自在に接続されることを特徴とする請求項１に記載の電気式暖房装置。
【請求項４】
前記センサ用ソケットは、前記複数の電源用ソケットの間に配設されており、
前記センサ用ソケットに対して、前記センサ用プラグは、前記複数の電源用ソケットに対する前記電源用プラグの接続方向と相対する方向から接続されることを特徴とする請求項３に記載の電気式暖房装置。
【発明の詳細な説明】
【０００１】
【発明の属する技術分野】
本発明は、床内に電気ヒーターを設け、床面から居室を暖房する床暖房装置等の電気式暖房装置に関する。
【０００２】
【従来の技術】
従来から、この種の電気式暖房装置は、居室を画成する床等の画成壁内に設けられ、居室を暖房するための電熱部と、電熱部への通電状態を制御して、電熱部の温度を調節するためのコントローラとを備えている。このコントローラには、一端側が電源に接続される一次側電源線の他端側と、一端側が電熱部に接続される二次側電源線の他端側とが結線されている。
【０００３】
【発明が解決しようとする課題】
本発明は、上述したような電気式暖房装置において、コントローラに一次側電源線及び二次側電源線を結線する電気工事の作業性を大幅に改善して、電熱部及びコントローラの施工性を大幅に向上することが可能な電気式暖房装置を提供することを課題としている。
【０００４】
【課題を解決するための手段】
本発明者らは、施工性を大幅な向上を可能とする電気式暖房装置について鋭意研究を行った結果、以下のような事実を新たに見出した。例えば、床面から居室を暖房する電気式床暖房装置を施工する場合の施工手順は、概ね「屋内電気配線→電気ヒーター敷設→電気ヒーター結線→導通試験・絶縁試験→床仕上げ施工→導通試験・絶縁試験→コントローラ取付→動作最終チェック」からなる。電気ヒーターを敷設し、電気ヒーターとコントローラとの間、及び、電源とコントローラとの間を電源線にて結線し、導通試験・絶縁試験を実施した後に、上述された結線を外して床仕上げ施工を行い、この床仕上げ施工完了の導通試験・絶縁試験のために再度結線する必要がある。また、コントローラを壁面等に取り付ける際も、コントローラの取り付け前後で、電気ヒーターとコントローラとの間、及び、電源とコントローラとの間の結線を外し、再度結線するという作業が必要となる場合もある。通常、一次側電源線及び二次側電源線は、各々パワー側とグランド側の２本の電線を含んでおり、更にアース線が存在する場合には、電気式暖房装置の施工の段階で、コントローラに６本もの電線を結線する及びこれらの電線の結線を外すという電線の着脱作業を複数回も繰り返して行われることが判明した。
【０００５】
そこで、本発明者らは、コントローラに電線を容易に結線する構造として、コントローラにばね等の付勢力を利用して電線を固定する固定機構の採用も考えたが、このような固定機構も、コントローラに各電線を結線する及び結線を外すという着脱の煩わしさ、電線の抜け等の問題を確実に解消できるものではなく、電線を結線する電気工事の作業性を大幅に改善できるものではなかった。
【０００６】
かかる研究結果を踏まえ、請求項１に記載の本発明による電気式暖房装置は、居室を画成する画成壁内に設けられ、居室を暖房するための電熱部と、電熱部への通電状態を制御して、電熱部の温度を調節するためのコントローラとを備えた電気式暖房装置であって、電源とコントローラとを接続する一次側電源線のコントローラ側の端部及びコントローラと電熱部とを接続する二次側電源線のコントローラ側の端部が、ネジ止めにより固定される電源用プラグが設けられ、コントローラは、電源用プラグが着脱自在に接続される電源用ソケットを有し、一次側電源線及び二次側電源線が固定された電源用プラグを電源用ソケットに接続することにより、一次側電源線及び二次側電源線とコントローラとが結線されることを特徴としている。
【０００７】
上述の請求項１に記載の電気式暖房装置によれば、電源用プラグには、一次側電源線のコントローラ側の端部及び二次側電源線のコントローラ側の端部がネジ止めにより固定されており、この電源用プラグをコントローラの電源用ソケットに接続することにより、一次側電源線及び二次側電源線とコントローラとが結線されるので、コントローラへの一次側電源線及び二次側電源線の着脱作業が、電源用プラグの電源用ソケットへの着脱により達成されることになる。これにより、電気式暖房装置の施工段階において、複数回存在する一次側電源線及び二次側電源線の着脱作業を極めて容易に行うことができる。また、一度、電源用プラグに一次側電源線及び二次側電源線をネジ止めにより固定しておけば、再接続時においても確実に同一の結線状態が再現されるので、再接続時の誤結線を防止することができる。また、電源用プラグには、一次側電源線のコントローラ側の端部及び二次側電源線のコントローラ側の端部がネジ止めにより固定されるので、一次側電源線及び二次側電源線の電源用プラグからの抜けを防止することができる。これらの結果、コントローラに一次側電源線及び二次側電源線を接続する電気工事の作業性を大幅に改善して、電熱部及びコントローラの施工性を大幅に向上することが可能となる。
【０００８】
また、電源用プラグには、一端部が接地されているアース線の他端部及び電熱部からのアース線の端部がネジ止めにより固定されていることが好ましい。この場合には、一端部が接地されているアース線及び電熱部からのアース線の着脱作業を極めて容易に行うことができる。また、各アース線の誤結線及び電源用プラグからの抜けを防止することができる。
【０００９】
また、コントローラは、電熱部に設けられた温度センサにて検知される温度に基づいて電熱部の温度を調節しており、コントローラと温度センサとを接続するセンサ線のコントローラ側の端部がネジ止めにより固定されるセンサ用プラグが設けられ、コントローラは、センサ用プラグが着脱自在に接続されるセンサ用ソケットを有し、センサ線が固定されたセンサ用プラグをセンサ用ソケットに接続することにより、センサ線とコントローラとが結線されることが好ましい。この場合には、センサ用プラグには、センサ線のコントローラ側の端部がネジ止めにより固定されており、このセンサ用プラグをコントローラのセンサ用ソケットに接続することにより、センサ線とコントローラとが結線されるので、コントローラへのセンサ線の着脱作業が、センサ用プラグのセンサ用ソケットへの着脱により達成されることになる。これにより、電気式暖房装置の施工段階において、複数回存在するセンサ線の着脱作業を極めて容易に行うことができる。また、一度、センサ用プラグにセンサ線をネジ止めにより固定しておけば、再接続時においても確実に同一の結線状態が再現されるので、再接続時の誤結線を防止することができる。また、センサ用プラグには、センサ線のコントローラ側の端部がネジ止めにより固定されるので、センサ線のセンサ用プラグからの抜けを防止することができる。これらの結果、コントローラにセンサ線を接続する電気工事の作業性を大幅に改善して、電熱部及びコントローラの施工性を大幅に向上することが可能となる。
【００１０】
また、コントローラは、電熱部の作動状態を表示する表示面を有し、電源用プラグ及びセンサ用プラグは、各々電源用ソケット及びセンサ用ソケットに対して表示面と略平行の方向から接続されることが好ましい。この場合には、コントローラの表示面に直行する方向での長さが大きくなるのを抑制することができ、コントローラの取り付け性を向上することが可能となる。
【００１１】
また、コントローラは、複数の電熱部の温度を個々に調整し得るように構成され、且つ、各電熱部毎に対応して電源用ソケットが複数設けられており、温度センサは複数の電熱部毎に対応して複数設けられると共に、複数の温度センサ毎のセンサ用プラグが一体に形成され、各電熱部毎に対応して設けられる電源用プラグが各電源用ソケットに着脱自在に接続されると共に、一体に形成されたセンサ用プラグがセンサ用ソケットに着脱自在に接続されることが好ましい。この場合には、複数の電熱部が設けられた場合において、各電熱部毎の一次側電源線及び二次側電源線の着脱作業を極めて容易に行うことができると共に、各電熱部毎の一次側電源線及び二次側電源線の誤結線を防止することができる。更に、各電熱部毎のセンサ線の着脱作業を極めて容易に行うことができると共に、各電熱部毎のセンサ線の誤結線を防止することができる。
【００１２】
また、センサ用ソケットは、複数の電源用ソケットの間に配設されており、センサ用ソケットに対して、センサ用プラグは、複数の電源用ソケットに対する電源用プラグの接続方向と相対する方向から接続されることが好ましい。この場合には、コントローラの各ソケットの配設方向での長さを大きくすることなく、センサ用プラグ及び電源用プラグの脱着作業のためのスペースを確保することが可能となる。
【００１３】
【発明の実施の形態】
本発明の実施の形態を図面に基づいて説明する。なお、図面の説明において同一の要素には同一の符号を付しており、重複する説明は省略する。
【００１４】
図１は、本発明による電気式暖房装置の実施形態を示す概略構成図であり、図２は、コントローラの斜視図、図３は、同じくコントローラの表示面側から見た平面図、図４は、同じくコントローラの側面図、図５は、同じくコントローラの表示面に対して裏面側から見た平面図である。本実施形態においては、電熱部を居室の床内に敷設した床暖房装置に適用した例を示す。
【００１５】
電気式床暖房装置１は、電熱部としての第１ヒーターパネル２及び第２ヒーターパネル３と、コントローラ４とを有している。第１ヒーターパネル２及び第２ヒーターパネル３はその内部に炭素繊維発熱線（図示せず）を含んでおり、図１に示されるように、居室Ｒを画成する画成壁としての床Ｆ内に敷設されている。コントローラ４は、第１ヒーターパネル２及び第２ヒーターパネル３への通電状態を制御して、第１ヒーターパネル２及び第２ヒーターパネル３の温度を調節する。また、コントローラ４は、表示操作部５と本体部６とを有し、表示操作部５が居室Ｒ内に臨み且つ本体部６が居室Ｒを画成する画成壁としての横壁Ｗに埋め込まれた状態で取り付けられている。
【００１６】
表示操作部５は、図３に示されるように、各第１ヒーターパネル２及び第２ヒーターパネル３の作動状態（運転開始／停止、温度設定、タイマー設定等）を、各ヒーターパネル２，３毎に操作設定すると共に、作動状態を表示するための表示面５ａを有している。本体部６には、図６に示されるように、第１ヒーターパネル２への通電状態を制御するための第１リレー部７及び第２ヒーターパネル３への通電状態を制御するための第２リレー部８を含む制御回路部（図示せず）が設けられており、この制御回路部は、表示面５ａにて操作設定された作動状態となるように、各第１ヒーターパネル２及び第２ヒーターパネル３への通電状態を制御する。
【００１７】
ここで、第１ヒーターパネル２及び第２ヒーターパネル３の床Ｆ内への敷設は、下記の手順にて行われる。
（ａ）第１ヒーターパネル２及び第２ヒーターパネル３を構成する個々の電熱ボードの連結部にて山谷山谷・・・の形で折りたたまれて梱包された状態で、施工現場に搬入、開梱する。
（ｂ）折りたたまれた各第１ヒーターパネル２及び第２ヒーターパネル３を引き伸ばして展開する。
（ｃ）折りたたまれた各第１ヒーターパネル２及び第２ヒーターパネル３の谷部裏面を床下地材に接地し、徐々に左右に展開し、最終的に山部裏面も接地させて敷き込む。
（ｄ）第１ヒーターパネル２及び第２ヒーターパネル３の位置決定は、各電熱ボードを繋いでいる連結帯を引き上げて各電熱ボードの間隔を詰めた後、これら連結帯を切断、除去する。
（ｅ）第１ヒーターパネル２及び第２ヒーターパネル３の周囲に副材を埋め込み、副材、第１ヒーターパネル２及び第２ヒーターパネル３の上側に床仕上げ材を張り込む。
【００１８】
コントローラ４の本体部６には、配電盤（図示せず）からの第１ヒーターパネル用一次側電源線１１及び第２ヒーターパネル用一次側電源線１２が結線されていると共に、第１ヒーターパネル２からの第１ヒーターパネル用二次側電源線１３及び第２ヒーターパネル３からの第２ヒーターパネル用二次側電源線１４が結線されている。各一次側電源線及び二次側電源線は、パワー側とグランド側の２本の電線を含んでいる。各電源線が結線された状態では、図６に示されるように、第１ヒーターパネル用一次側電源線１１と第１ヒーターパネル用二次側電源線１３とは第１リレー部７を介して接続され、第２ヒーターパネル用一次側電源線１２と第２ヒーターパネル用二次側電源線１４とは第２リレー部８を介して接続されることになる。また、本体部６には、接地されたアース線１５、第１ヒーターパネル２からの第１ヒーターパネル用アース線１６及び第２ヒーターパネル３からの第２ヒーターパネル用アース線１７が結線されている。上述した、第１ヒーターパネル用一次側電源線１１、第２ヒーターパネル用一次側電源線１２、第１ヒーターパネル用二次側電源線１３、第２ヒーターパネル用二次側電源線１４、接地されたアース線１５、第１ヒーターパネル用アース線１６及び第２ヒーターパネル用アース線１７は、床Ｆ及び横壁Ｗ内に配線されている。
【００１９】
第１ヒーターパネル２には、第１ヒーターパネル２の温度を検知するための第１温度センサ２１が設けられている。同じく、第２ヒーターパネル３には、第２ヒーターパネル３の温度を検知するための第２温度センサ２２が設けられている。第１温度センサ２１からの第１温度センサ用センサ線２３及び第２温度センサ２２からの第２温度センサ用センサ線２４は、床Ｆ及び横壁Ｗ内に配線され、コントローラ４の本体部６に結線されている。本体部６（制御回路部）は、第１温度センサ２１にて検知され第１温度センサ用センサ線２３を介して送られる第１ヒーターパネル２の温度に基づいて、第１ヒーターパネル２の温度が設定温度となるように第１リレー部７をオンオフ制御して、第１ヒーターパネル２への通電状態を制御する。また、同様に、本体部６（制御回路部）は、第２温度センサ２２にて検知され第２温度センサ用センサ線２４を介して送られる第２ヒーターパネル３の温度に基づいて、第２ヒーターパネル３の温度が設定温度となるように第２リレー部８をオンオフ制御して、第２ヒーターパネル３への通電状態を制御する。
【００２０】
コントローラ４の本体部６には、図２及び図５に示されるように、第１電源用プラグ３１が着脱自在に接続される第１電源用ソケット４１と、第２電源用プラグ３２が着脱自在に接続される第２電源用ソケット４２と、センサ用プラグ３３が着脱自在に接続されるセンサ用ソケット４３とが、所定の方向（図５において、左右方向）に略直列に設けられている。第１電源用ソケット４１には、図７（ｃ）に示されるように、結線される第１ヒーターパネル用アース線１６、第１ヒーターパネル用二次側電源線１３、第１ヒーターパネル用一次側電源線１１及び接地されたアース線１５の合計６本の電線に対応して、６個の凹部４１ａが設けられており、この凹部４１ａ内に、制御回路部に電気的に接続されたコンタクト部４１ｂが配設されている。第２電源用ソケット４２も第１電源用ソケット４１と同様な構成を有しており、結線される第２ヒーターパネル用アース線１７、第２ヒーターパネル用二次側電源線１４、第２ヒーターパネル用一次側電源線１２及び接地されたアース線１５の合計６本の電線に対応して、６個の凹部（図示せず）が設けられており、この凹部内に、制御回路部に電気的に接続されたコンタクト部（図示せず）が配設されている。センサ用ソケット４３も第１電源用ソケット４１及び第２電源用ソケット４２と同様な構成を有しており、結線される第１温度センサ用センサ線２３及び第２温度センサ用センサ線２４の合計４本の電線に対応して、４個の凹部（図示せず）が設けられており、この凹部内に、制御回路部に電気的に接続されたコンタクト部（図示せず）が配設されている。
【００２１】
第１電源用ソケット４１及び第２電源用ソケット４２は、図４にも示されるように、表示操作部５の表示面５ａに略平行となる方向から第１電源用プラグ３１及び第２電源用プラグ３２が接続されるように設けられている。センサ用ソケット４３は、表示操作部５の表示面５ａに略平行となる方向で且つ第１電源用プラグ３１及び第２電源用プラグ３２の接続方向とは相対する方向からセンサ用プラグ３３が接続されるよう設けられている。また、センサ用ソケット４３は、各ソケット４１，４２，４３の配設方向（図５において、左右方向）で見て、第１電源用ソケット４１と第２電源用ソケット４２との間に設けられており、第１電源用ソケット４１と第２電源用ソケット４２の間には、所定幅の空間部Ｓが形成されている。
【００２２】
第１電源用プラグ３１には、端から順に、第１ヒーターパネル用アース線１６、第１ヒーターパネル用二次側電源線１３、第１ヒーターパネル用一次側電源線１１及び接地されたアース線１５の合計６本の電線が固定されている。第１電源用プラグ３１には、図７（ｂ）に示されるように、固定される第１ヒーターパネル用アース線１６、第１ヒーターパネル用二次側電源線１３、第１ヒーターパネル用一次側電源線１１及び接地されたアース線１５の合計６本の電線に対応して、６個の孔部３１ａと、コンタクト部（図示せず）が内蔵された６個の凸部３１ｂとを有しており、この第１電源用プラグ３１のコンタクト部は、第１電源用プラグ３１が第１電源用ソケット４１と接続された状態で、第１電源用ソケット４１のコンタクト部４１ｂと当接し、電気的に接続される。第１電源用プラグ３１には一組のつめ部３１ｃ，３１ｃが設けられており、このつめ部３１ｃ，３１ｃは第１電源用ソケット４１の凸部４１ｃと係合して、第１電源用プラグ３１の抜け止めの役割を果たしている。
【００２３】
第１電源用プラグ３１への電線の固定は、図７（ａ）に示されるように、まず、被覆５１が取り除かれて導体５２が露出された電線の端部、例えば第１ヒーターパネル用アース線１６の端部を対応する孔部３１ａに挿入し、ネジ５３をドライバー等の工具５４により螺進させることにより行われる。これにより、第１ヒーターパネル用アース線１６は、第１電源用プラグ３１のコンタクト部と電気的に接続された状態で、第１電源用プラグ３１にネジ止めされて、固定されることになる（図７（ｂ）の状態）。同様に、第１ヒーターパネル用二次側電源線１３、第１ヒーターパネル用一次側電源線１１及び接地されたアース線１５の電線が、第１電源用プラグ３１に対してネジ止めにより固定される。第１ヒーターパネル用アース線１６、第１ヒーターパネル用二次側電源線１３、第１ヒーターパネル用一次側電源線１１及び接地されたアース線１５の合計６本の電線が固定された第１電源用プラグ３１は、各凸部３１ｂを対応する第１電源用ソケット４１の各凹部４１ａに挿入することにより、第１電源用ソケット４１と接続されることになる（図７（ｃ）の状態）。
【００２４】
第２電源用プラグ３２には、端から順に、第２ヒーターパネル用アース線１７、第２ヒーターパネル用二次側電源線１４、第２ヒーターパネル用一次側電源線１２及び接地されたアース線１５の合計６本の電線が固定されている。第２電源用プラグ３２も第１電源用プラグ３１と同様の構成を有しており、固定される第２ヒーターパネル用アース線１７、第２ヒーターパネル用二次側電源線１４、第２ヒーターパネル用一次側電源線１２及び接地されたアース線１５の合計６本の電線に対応して、６個の孔部３２ａと、コンタクト部（図示せず）が内蔵された６個の凸部（図示せず）とを有しており、この第２電源用プラグ３２のコンタクト部は、第２電源用プラグ３２が第２電源用ソケット４２と接続された状態で、第２電源用ソケット４２のコンタクト部（図示せず）と当接し、電気的に接続される。第２電源用プラグ３２には一組のつめ部３２ｃ，３２ｃが設けられており、このつめ部３２ｃ，３２ｃは第２電源用ソケット４２の凸部４２ｃと係合して、第２電源用プラグ３２の抜け止めの役割を果たしている。
【００２５】
第２電源用プラグ３２への電線の固定は、第１電源用プラグ３１への電線の固定と同様に行われ、第２ヒーターパネル用アース線１７、第２ヒーターパネル用二次側電源線１４、第２ヒーターパネル用一次側電源線１２及び接地されたアース線１５の合計６本の電線が、第２電源用プラグ３２に対してネジ止めにより固定される。第２ヒーターパネル用アース線１７、第２ヒーターパネル用二次側電源線１４、第２ヒーターパネル用一次側電源線１２及び接地されたアース線１５の合計６本の電線が固定された第２電源用プラグ３２は、各凸部を対応する第２電源用ソケット４２の各凹部に挿入することにより、第２電源用ソケット４２と接続されることになる。
【００２６】
センサ用プラグ３３には、第１温度センサ用センサ線２３及び第２温度センサ用センサ線２４の合計４本の電線が固定されている。センサ用プラグ３３も第１電源用プラグ３１及び第２電源用プラグ３２と同様の構成を有しており、第１温度センサ用センサ線２３及び第２温度センサ用センサ線２４の合計４本の電線に対応して、４個の孔部（図示せず）と、コンタクト部（図示せず）が内蔵された４個の凸部（図示せず）とを有しており、このセンサ用プラグ３３のコンタクト部は、センサ用プラグ３３がセンサ用ソケット４３と接続された状態で、センサ用ソケット４３のコンタクト部と当接し、電気的に接続される。
【００２７】
センサ用プラグ３３への電線の固定は、第１電源用プラグ３１及び第２電源用プラグ３２への電線の固定と同様に行われ、第１温度センサ用センサ線２３及び第２温度センサ用センサ線２４の合計４本の電線が、センサ用プラグ３３に対してネジ止めにより固定される。第１温度センサ用センサ線２３及び第２温度センサ用センサ線２４の合計４本の電線が固定されたセンサ用プラグ３３は、各凸部を対応するセンサ用ソケット４３の各凹部に挿入することにより、センサ用ソケット４３と接続されることになる。
【００２８】
このように、第１電源用プラグ３１には、第１ヒーターパネル用アース線１６、第１ヒーターパネル用二次側電源線１３、第１ヒーターパネル用一次側電源線１１及び接地されたアース線１５の合計６本の電線がネジ止めにより固定されており、この第１電源用プラグ３１が第１電源用ソケット４１に接続されると共に、第２電源用プラグ３２には、第２ヒーターパネル用アース線１７、第２ヒーターパネル用二次側電源線１４、第２ヒーターパネル用一次側電源線１２及び接地されたアース線１５の合計６本の電線がネジ止めにより固定されており、この第２電源用プラグ３２が第２電源用ソケット４２に接続されるので、コントローラ４への各一次側電源線１１，１２、各二次側電源線１３，１４及び各アース線１５，１６，１７の着脱作業が、第１電源用プラグ３１の第１電源用ソケット４１への着脱及び第２電源用プラグ３２の第２電源用ソケット４２への着脱により達成されることになる。これにより、電気式床暖房装置１の施工段階において、複数回存在する各一次側電源線１１，１２、各二次側電源線１３，１４及び各アース線１５，１６，１７（合計１２本の電線）の着脱作業を極めて容易に行うことができる。
【００２９】
また、センサ用プラグ３３には、第１温度センサ用センサ線２３及び第２温度センサ用センサ線２４の合計４本の電線がネジ止めにより固定されており、このセンサ用プラグ３３がセンサ用ソケット４３に接続されるので、コントローラ４への第１温度センサ用センサ線２３及び第２温度センサ用センサ線２４の着脱作業が、センサ用プラグ３３のセンサ用ソケット４３への着脱により達成されることになる。これにより、電気式床暖房装置１の施工段階において、複数回存在する第１温度センサ用センサ線２３及び第２温度センサ用センサ線２４（合計４本の電線）の着脱作業を極めて容易に行うことができる。
【００３０】
また、一度、第１電源用プラグ３１に第１ヒーターパネル用アース線１６、第１ヒーターパネル用二次側電源線１３、第１ヒーターパネル用一次側電源線１１及び接地されたアース線１５の合計６本の電線をネジ止めにより固定しておけば、再接続時においても確実に同一の結線状態が再現されるので、上述した構成により再接続時の誤結線を防止することができる。第２電源用プラグ３２及びセンサ用プラグ３３についても、同様に、再接続時の誤結線を防止することができる。
【００３１】
また、第１ヒーターパネル２に対応して第１電源用プラグ３１を設け、第２ヒーターパネル３に対応して第２電源用プラグ３２を設け、更に第１温度センサ２１及び第２温度センサ２２に対応してセンサ用プラグ３３を設けているので、プラグ数が合計３個となり、導通試験・絶縁試験に伴う脱着作業も、プラグ数に対応して３工程にて行えるので、着脱作業自体も簡略化される。更に、プラグ数が３個と少なく、各プラグ３１，３２，３３を誤接続する可能性も低く抑制される。
【００３２】
また、第１電源用プラグ３１には、第１ヒーターパネル用アース線１６、第１ヒーターパネル用二次側電源線１３、第１ヒーターパネル用一次側電源線１１及び接地されたアース線１５の合計６本の電線がネジ止めにより固定され、第２電源用プラグ３２には、第２ヒーターパネル用アース線１７、第２ヒーターパネル用二次側電源線１４、第２ヒーターパネル用一次側電源線１２及び接地されたアース線１５の合計６本の電線がネジ止めにより固定され、更に、センサ用プラグ３３には、第１温度センサ用センサ線２３及び第２温度センサ用センサ線２４の合計４本の電線がネジ止めにより固定されるので、第１電源用プラグ３１、第２電源用プラグ３２及びセンサ用プラグ３３からの各電線１１，１２，１３，１４，１５，１６，１７，２３，２４の抜けを防止することができる。
【００３３】
これらの結果、コントローラ４に各一次側電源線１１，１２、各二次側電源線１３，１４及び各アース線１５，１６，１７（合計１２本の電線）と、第１温度センサ用センサ線２３及び第２温度センサ用センサ線２４（合計４本の電線）とを接続する電気工事の作業性を大幅に改善して、第１ヒーターパネル２、第２ヒーターパネル３電熱部及びコントローラ４の施工性を大幅に向上することが可能となる。
【００３４】
また、第１電源用ソケット４１、第２電源用ソケット４２及びセンサ用ソケット４３の各々は、表示操作部５の表示面５ａに略平行となる方向から第１電源用プラグ３１、第２電源用プラグ３２及びセンサ用プラグ３３が接続されるように設けられているので、コントローラ４の表示面５ａに直行する方向での長さ（図４における、左右方向での長さ）が大きくなるのを抑制することができ、コントローラ４の横壁Ｗへの取り付け性を向上することができる。
【００３５】
更に、センサ用ソケット４３は、各ソケット４１，４２，４３の配設方向（図５において、左右方向）で見て、第１電源用ソケット４１と第２電源用ソケット４２との間に、且つ、第１電源用プラグ３１及び第２電源用プラグ３２の接続方向とは相対する方向からセンサ用プラグ３３が接続されるよう設けられているので、第１電源用ソケット４１と第２電源用ソケット４２の間には、所定の空間部Ｓが形成される。これにより、コントローラ４の各ソケット４１，４２，４３の配設方向での長さを大きくすることなく、第１電源用プラグ３１及び第２電源用プラグ３２の脱着作業のためのスペースを確保することが可能となる。また、センサ用ソケット４３は第１電源用ソケット４１と第２電源用ソケット４２の接続方向とは反対側に単独で設けられるため、センサ用プラグ３３を容易に脱着することができる。
【００３６】
なお、本実施形態においては、電熱部として床Ｆ内に敷設され第１ヒーターパネル２及び第２ヒーターパネル３を用いているが、これに限られることなく、床Ｆ内に埋め込まれるタイプあるいは床材と一体形成されるタイプ等の様々な方式の電熱部に適用可能である。また、電熱部が設けられる場所も床に限られることなく、横壁Ｗ等の居室を画成する画成壁でもよい。コントローラ４が設けられる場所も横壁Ｗに限られることなく、床Ｆ等の横壁Ｗ以外の他の画成壁でもよい。
【００３７】
また、コントローラ４に対して第１ヒーターパネル２及び第２ヒーターパネル３の２つのヒーターパネルを設けているが、１つのコントローラに対して接続されるヒーターパネルの数は１つでもよく、また、３つ以上のヒーターパネルを接続するように構成してもよい。
【００３８】
また、コントローラ４の本体部６の裏面に、図６に示される端子接続図の略図を記したシールを貼付するようにしてもよい。この場合には、各プラグ３１，３２，３３を誤接続する可能性を更に低く抑制することができる。
【００３９】
また、本発明に係る電気式暖房装置は、一般住宅の、例えば居間、食堂、台所、脱衣・洗面室、寝室、トイレ等への適用に限られることなく、病院、体育館、幼稚園、事務所等への適用も可能である。
【００４０】
【発明の効果】
以上、詳細に説明したとおり、本発明によれば、コントローラに一次側電源線及び二次側電源線を接続する電気工事の作業性を大幅に改善して、電熱部及びコントローラの施工性を大幅に向上することが可能な電気式暖房装置を提供することができる。
【図面の簡単な説明】
【図１】本発明による電気式暖房装置の実施形態を示す概略構成図である。
【図２】本発明による電気式暖房装置の実施形態に含まれる、コントローラの斜視図である。
【図３】本発明による電気式暖房装置の実施形態に含まれる、コントローラの表示面側から見た平面図である。
【図４】本発明による電気式暖房装置の実施形態に含まれる、コントローラの側面図である。
【図５】本発明による電気式暖房装置の実施形態に含まれる、コントローラの表示面に対して裏面側から見た平面図である。
【図６】本発明による電気式暖房装置の実施形態に含まれる、コントローラの端子接続図である。
【図７】本発明による電気式暖房装置の実施形態に含まれる、コントローラへの結線手順を示す説明図である。
【符号の説明】
１…電気式床暖房装置、２…第１ヒーターパネル、３…第２ヒーターパネル、４…コントローラ、５…表示操作部、５ａ…表示面、６…本体部、１１…第１ヒーターパネル用一次側電源線、１２…第２ヒーターパネル用一次側電源線、１３…第１ヒーターパネル用二次側電源線、１４…第２ヒーターパネル用二次側電源線、１５…接地されたアース線、１６…第１ヒーターパネル用アース線、１７…第２ヒーターパネル用アース線、２１…第１温度センサ、２２…第２温度センサ、２３…第１温度センサ用センサ線、２４…第２温度センサ用センサ線、３１…第１電源用プラグ、３２…第２電源用プラグ、３３…センサ用プラグ、４１…電源用ソケット、４２…電源用ソケット、４３…センサ用ソケット、５３…ネジ、Ｆ…床、Ｒ…居室、Ｓ…空間部、Ｗ…横壁。
【図１】
0004121211.tif 000002
【図２】
0004121211.tif 000003
【図３】
0004121211.tif 000004
【図４】
0004121211.tif 000005
【図５】
0004121211.tif 000006
【図６】
0004121211.tif 000007
【図７】
0004121211.tif 000008